(57)【要約】      （修正有）【課題】家庭内でテレワーク等に使用できる囲まれ感のあるデスクを有するダンボールブースを提供する。【解決手段】ダンボールブース１００は、奥板１とその左右側に折り曲げ可能に設けた左板３及び右板２を有する枠体と、左板及び右板の間に渡される幕板８と、幕板で支持される天板４とからなる。ダンボールブースは、飛沫感染を防止すると共に仕事に集中できる環境を簡単に構築できる。また、強化ダンボールから構成されるシンプルな構成であるから、組立が簡単で且つ丈夫である。また、組立前は平らで折り畳み又は重ねることができるので、収納に便利である。更に、ダンボール製であるから廃棄の際にも処理が楽である。【選択図】図１
0003228261.tif 000002
【実用新案登録請求の範囲】
【請求項１】
平板からなり且つ奥板とその左右側に折り曲げ可能に設けた左板及び右板を有する枠体と、
平板からなり前記左板及び右板の間に渡される幕板と、
平板からなり前記幕板で支持される天板と、
前記平板は強化ダンボールからなることを特徴とするダンボールブース。
【請求項２】
前記枠体に窓があけられ、当該窓に同形状の棚が略水平に係止されることを特徴とする請求項１に記載のダンボールブース。
【請求項３】
奥板と左板とは一面側で所定幅の連結部をもって連結し、
奥板と右板とは一面側で前記所定幅より板厚分だけ大きな幅の連結部をもって連結していることを特徴とする請求項１又は２に記載のダンボールブース。
【請求項４】
前記幕板及び天板の取付位置を上下に複数設けたことを特徴とする請求項１乃至３のいずれか一つに記載のダンボールブース。
【考案の詳細な説明】
【技術分野】
【０００１】
本考案は、家庭内でテレワーク等に使用する囲まれ感があるデスクを有するダンボールブースに関するものである。
【背景技術】
【０００２】
従来から特許文献１に記載されているような机が知られている。この机は、天板を脚板で支えた構造であり、前記脚板はヒンジにより対向する縁が回転自在に連結されている。この脚板を回転させて自立させ、脚板と脚板との間に天板を渡すことで机となる。未使用状態では、脚部を畳んで平らにし、天板と共に重ねて収納する。このようにすれば、収納場所を取らずに済む。また、ダンボール製であるため軽量で運搬しやすい。
【先行技術文献】
【特許文献】
【０００３】
【特許文献１】特開２００４−１２１４３２号公報
【考案の概要】
【考案が解決しようとする課題】
【０００４】
現在、新型コロナウイルスによる感染拡大が懸念される一方で経済を動かす必要があることから、企業においてテレワークの実施が進んでいる。このとき、自宅でテレワークを行う場合、自宅に集中して仕事ができる専用のデスクがない場合が多い。また、キッチン等の家族共用のテーブルでは、家族間での飛沫感染の恐れがある。本考案は、係る問題点を解決するためになされたものである。
【課題を解決するための手段】
【０００５】
本考案に係るダンボールブースは、平板からなり且つ奥板とその左右側に折り曲げ可能に設けた左板及び右板を有する枠体と、平板からなり前記左板及び右板の間に渡される幕板と、
平板からなり前記幕板で支持される天板と、前記平板は強化ダンボールからなる。
【０００６】
また、前記枠体に窓があけられ、当該窓に同形状の棚が略水平に係止されるようにしても良い。更に、前記奥板と左板とは一面側で所定幅の連結部をもって連結し、当該奥板と右板とは一面側で前記所定幅より板厚分だけ大きな幅の連結部をもって連結するようにしても良い。更に、前記幕板及び天板の取付位置を上下に複数設けても良い。
【図面の簡単な説明】
【０００７】
【図１】本考案の実施の形態に係るダンボールブースを示す斜視図である。
【図２】本考案の実施の形態に係るダンボールブースを示す斜視図である。
【図３】窓部分を示す斜視図である。
【図４】棚部分を示す斜視図である。
【図５】ダンボールブースの構成部品の平面図である。
【図６】枠体の折り曲げ状態を示す説明図である。
【図７】ダンボールブースの組立手順を示す説明図である。
【図８】ダンボールブースの組立手順を示す説明図である。
【図９】ダンボールブースの組立手順を示す説明図である。
【図１０】ダンボールブースの組立手順を示す説明図である。
【図１１】ダンボールブースの組立手順を示す説明図である。
【図１２】本考案の実施の形態に係るダンボールブースの変形例を示す斜視図である。
【考案を実施するための形態】
【０００８】
図１及び図２は、本考案の実施の形態に係るダンボールブースを示す斜視図である。図３は、窓部分を示す斜視図である。図４は、棚部分を示す斜視図である。図５は、構成部品の平面図である。このダンボールブース１００は、デスクの三面を平板１０１で囲った構造である。また、略全ての構成部品を浸板１０１で構成している。平板１０１には、厚さが１０〜３０ｍｍ程度の強化ダンボールを用いる。
【０００９】
このダンボールブース１００は、設置時に上下方向が長い長方形の奥板１と、奥板１の両端縁に折り曲げ可能に連結された右板２及び左板３と、デスク天板４とから構成される。奥板１の上端縁には棚が配置される。右板２及び左板３には、窓５が設けられている。窓５は、ダンボールを円形に打ち抜いて形成される。また、窓５と同径のダンボール製の円板棚６を設ける。円板棚６は、窓５にはめ込むことで小さな棚を形成する。円板棚６の一部にはダンボール厚さと同じ溝６１が１８０度あけて二か所径方向に設けられ、この溝６１が窓５の周縁部に嵌め込まれて係止し、円板棚６が窓５に対して略水平に保持される。
【００１０】
円板棚６は窓５と略同形状であるから窓５に対して円板棚６を面一になるように嵌め込んで保持できる。このため、円板棚６の外径と窓５の内径とは略同じ寸法とする。角棚７は、長方形の平板７１の両側が上方に折り曲げられ且つその頂部奥側にフック形状に溝７２が設けられる。この溝７２の幅は、ダンボール厚と同じである。当該溝７２を奥板１の上部端縁に差し込むことで角棚７が奥板１に対して保持される。
【００１１】
奥行き方向の前後に幕板８が右板２及び左板３との間に取り付けられ、この幕板８の上に天板４が支持される。幕板８は略長方形ないし短冊形状であり平板８１を折れ線８２で折り曲げることで構成される。奥側に配置された幕板８にはトレイ８３が設けられる。当該トレイ８３には、電源ケーブル等を配設できる。幕板８の左右端はフック部８４となり、右板２及び左板３に設けた穴２１，３１に対して係止する。これにより幕板８が左板３及び右板２との間に渡されて固定される。
【００１２】
天板４は方形でありその一部には切り欠き４１が設けられ、この切り欠き４１は、幕板８の内側に連通してデスク上の電気機器の電源ケーブルを通すことができる。天板４の奥側の端縁には突起４２が設けられ、奥板１に設けた穴１１に挿通される。これにより天板４は、幕板８を介して右板２及び左板３で、突起４２と穴１１により奥板１で支持される。
【００１３】
このダンボールブース１００は、右板２、左板３及び奥板１が一体となった枠板５０と、幕板８と、天板４と、角棚７と、円板棚６とからなる。ボルト等の金属部品は不要である。これらは組み立て前において平面的な形状であるため、重ねてコンパクトに収納できる。
【００１４】
枠体５０は、奥板１の左右側に右板２及び左板３が折り曲げ可能に連結している。奥板１は、長方形であり使用状態上下方向が長手方向となる。左に設けた左板３は、図６（ａ）に示すように、ダンボールの積層体の表層を構成する一面側３ａで連結し、他面側３ｂはＶ字の溝３ｃが形成される。Ｖ字溝３ｃは平行して２本設けられ溝間には山形部分３ｄが形成される。山形部分３ｄの前記一面側３ａが実質的な連結部であり、ダンボールの厚さの２倍の連結幅を有する。これにより、折りたたんだ状態から容易に展開できると共に折り曲げの際に溝３ｃが埋まってきれいに折りたたまれる（図６（ｃ）の手前部分を参照）。
【００１５】
次に、右に設けた右板２は、図６（ｂ）に示すように、ダンボールの積層体の表層を構成する一面側２ａで連結すると共に他面側２ｂにＶ字の溝２ｃが平行に２本形成されるが、この溝２ｃはダンボールの板厚分の距離Ｌを離して設けられる。この距離Ｌは、奥板１と右板２の間に左板３に挟んだ状態で折り畳むためにある。換言すれば、前記溝間には山形部分２ｄが形成され、前記一面側２ａが実質的な連結部であり、この連結部の連結幅はダンボールの厚さの３倍である。このため、図６（ｃ）に示すように、枠体５０は、奥板１に対して左板３を折り返して重ね、その左板３のうえに右板２を折り返して重ねることで畳むことができる。
【００１６】
図７乃至図１１は、ダンボールブースの組立手順を示す説明図である。このダンボールブース１００では、図７に示すように、折りたたんだ状態の枠体５０を準備し、図８に示すように、右板２及び左板３の順に奥板１に対して９０度の角度に広げる。この状態で、図９及び図１０に示すように、幕板８を右板２及び左板３の間に渡す。手前の幕板８の左右端に設けたフックを右板２及び左板３の穴に挿入して係止する。この幕板８は、コの字の開放部が上向きのため、この幕板８の内部にケーブル等を配置できる。
【００１７】
続いて、奥側の幕板８の左右端に設けたフック部８４を右板２及び左板３の穴２１，３１に挿入して係止する。これにより、幕板８が左板３及び右板２との間に渡される。天板４は、この幕板８の上に載置される。天板４の奥側に設けた突起４２が奥板１の穴１１に挿通され、且つ天板４の裏面を前記幕板８が支持する。これにより天板４が載置されデスクとなる。なお、図１１に示すように、天板４の左側に設けた切り欠き４１から電源ケーブルを取り出すことができる。
【００１８】
最後に、円板棚６と角棚７とを取り付ければ完成である（図１参照）。なお、円板棚６及び角棚７の取付は任意である。
【００１９】
以上、この考案に係るダンボールブース１００によれば、飛沫感染を防止すると共に仕事に集中できる環境を簡単に構築できる。また、強化ダンボールから構成されるシンプルな構成であるから、組立が簡単で且つ丈夫である。また、組立前は平らで折り畳み又は重ねることができるので、収納に便利である。更に、ダンボール製であるから廃棄の際にも処理が楽である。
【００２０】
また、枠体５０、天板４等の表面にはラミネート加工が施される。このため、水、汚れへの耐久性が高まる。また、水性ペンにより表面に自由に絵や文字を書いて且つ消すこともできる。
【００２１】
また、図１２に示すように、天板４の突起４２を挿通する奥板１の穴１１、幕板８のフック部８４を係止する左板３及び右板２の穴２１,３１の位置を上下方向で２つまたは３つ以上の位置に設け、天板４の高さを選択できるようにしても良い（図中では穴２１，３１が上下方向で２つの場合を示した）。高い位置での天板４は、立って作業する際にちょうど良い高さにする。この場合、円板棚６を窓５に嵌め込んだ状態で保持し、窓５は閉じた状態にできる。
【符号の説明】
【００２２】
１００  ダンボールブース
１  奥板
２  右板
３  左板
４  天板
５  窓
６  円板棚
７  角棚
８  幕板
【図１】
0003228261.tif 000003
【図２】
0003228261.tif 000004
【図３】
0003228261.tif 000005
【図４】
0003228261.tif 000006
【図５】
0003228261.tif 000007
【図６】
0003228261.tif 000008
【図７】
0003228261.tif 000009
【図８】
0003228261.tif 000010
【図９】
0003228261.tif 000011
【図１０】
0003228261.tif 000012
【図１１】
0003228261.tif 000013
【図１２】
0003228261.tif 000014